(57)【要約】【課題】調速装置において、テンプの姿勢を安定させる作業の労力を軽減する。【解決手段】調速装置２０は、地板６１とテンプ受け６２とにより支持されるテンプ３０のテン輪３３に、テンプ受け６２の側に臨んで設けられた第１の磁石４０（永久磁石の一例）と、テンプ３０が周期運動したとき第１の磁石４０に対向する範囲に配置された第２の磁石５０（磁性体の一例）とを備え、第１の磁石４０と第２の磁石５０との間の磁力により、地板６１及びテンプ受け６２に対するテンプ３０の姿勢を一定に維持する。【選択図】図２
2016085072.tif 000002
【特許請求の範囲】
【請求項１】
地板とテンプ受けとにより支持されるテンプの少なくとも一部に、前記テンプ受け側に臨んで設けられた永久磁石と、前記テンプが周期運動したとき前記永久磁石に対向する範囲に配置された磁性体とを備え、前記永久磁石と前記磁性体との間で作用する磁力により、前記地板及び前記テンプ受けに対する前記テンプの姿勢を一定に維持している調速装置。
【請求項２】
前記永久磁石は、一部が他の部分に対して、磁力を増減されている請求項１に記載の調速装置。
【請求項３】
前記永久磁石は、前記テンプのテン輪の、前記テンプ受けに向いた面に設けられている請求項１又は２に記載の調速装置。
【請求項４】
前記永久磁石は、前記テンプのテン輪の周面に設けられている請求項１又は２に記載の調速装置。
【請求項５】
前記磁石は、前記テン輪の全周に亘って形成されている請求項３又は４に記載の調速装置。
【請求項６】
前記テン輪は、シリコンで形成されている請求項３から５のうちいずれか１項に記載の調速装置。
【請求項７】
前記テンプのテン輪が、前記永久磁石で形成されている請求項１又は２に記載の調速装置。
【請求項８】
請求項１から７のうちいずれか１項に記載の調速装置と、前記磁性体が固定された地板とを備えた時計。
【請求項９】
請求項１から７のうちいずれか１項に記載の調速装置の前記永久磁石に対して、前記テンプ受けの側から、前記永久磁石の局所をキュリー温度まで加熱して、前記局所の磁力を低減することで、前記地板及び前記テンプ受けに対する前記テンプの姿勢を一定に調整する調速装置の調整方法。
【請求項１０】
前記局所にレーザ光を照射して、前記局所をキュリー温度まで加熱する請求項９に記載の調速装置の調整方法。
【発明の詳細な説明】
【技術分野】
【０００１】
本発明は、調速装置及び調速装置を備えた時計並びに調速装置の調整方法に関する。
【背景技術】
【０００２】
機械式時計は、調速装置におけるテンプの振動が正確に行われることが求められる。
そこで、例えば、テンプの回転角度を効果的に制御することにより、テンプの振動を正確に行わせる技術が提案されている（特許文献１）。
この提案技術は、テンプに設けられたテンプ磁石と、このテンプ磁石に対して向かい合うように、かつ、テンプ磁石との間に隙間を設けて配置されたコイルとを含んでいる。そして、コイルは、スイッチ機構がオンの信号を出力したときに、テンプ磁石の磁束の変化により発生する誘導電流により、テンプの回転運動を抑制するような力をテンプに及ぼす。これにより、テンプの回転角度を効果的に制御する。
【先行技術文献】
【特許文献】
【０００３】
【特許文献１】特許第３６３１７６７号公報
【発明の概要】
【発明が解決しようとする課題】
【０００４】
ところで、テンプは、テン真が地板とテンプ受けとによって回転自在に支持されて、テン真回りに振動する。このため、テン真と地板の支持部及びテンプ受けの支持部との間には必ず隙間（アガキ）が形成されている。
一方、テンプは、テン真回りの質量の個体差等がある。このため、テンプの振動中は、アガキの中でのテン真の動きにより、テンプの姿勢が変化する。
テンプの姿勢が変化すると、テンプの振動周期が変化し、歩度にも影響が出るため、これを抑制するために、テン輪に設けられたチラネジを調整することが行われている。
しかし、チラネジの調整は、テンプを時計ムーブメントから取り外して行う必要がある。このため、チラネジによってテンプの姿勢を安定させる作業は、手間が掛る。
【０００５】
本発明は上記事情に鑑みなされたものであって、テンプの姿勢を安定させる作業の労力を軽減することができる調速装置及び調速装置を備えた時計、並びに調速装置の調整方法を提供することを目的とする。
【課題を解決するための手段】
【０００６】
本発明の第１は、地板とテンプ受けとにより支持されるテンプの少なくとも一部に、前記テンプ受け側に臨んで設けられた永久磁石と、前記テンプが周期運動したとき前記永久磁石に対向する範囲に配置された磁性体とを備え、前記永久磁石と前記磁性体との間の磁力により、前記地板及び前記テンプ受けに対する前記テンプの姿勢を一定に維持している調速装置である。
本発明の第２は、本発明に係る調速装置と、前記磁性体が固定された地板とを備えた時計である。
本発明の第３は、本発明に係る調速装置における永久磁石に対して、前記テンプ受けの側から、前記永久磁石の局所をキュリー温度まで加熱して、前記局所の磁力を低減することで、前記地板及び前記テンプ受けに対する前記テンプの姿勢を一定に調整する調速装置の調整方法である。
【発明の効果】
【０００７】
本発明に係る調速装置によれば、テンプの姿勢を安定させる作業の労力を軽減することができる。
本発明に係る時計によれば、テンプの姿勢を安定させる作業の労力を軽減することができるとともに、調速装置の磁性体を固定して支持するための支持部材を既存の地板とすることができる。
本発明に係る調速装置の調整方法によれば、テンプの姿勢を安定させる作業の労力を軽減することができる。
【図面の簡単な説明】
【０００８】
【図１】（Ａ）は、本発明に係る時計の第１の実施形態である携帯用の時計を示す外観図、（Ｂ）は（Ａ）に示した時計の内部に収容されたムーブメントの主要部を示す斜視図である。
【図２】調速装置の詳細を示す断面図である。
【図３】テンプをテンプ受けの側から見た平面図である。
【図４】斥力を利用した第２の実施形態の調速装置の詳細を示す断面図である。
【図５】引力を利用した第３の実施形態の調速装置の詳細を示す断面図である。
【図６】９個の第１の磁石及び９個の第２の磁石をテン輪の周方向に関して分布して配置した調速装置を示す図３相当の平面図である。
【図７】図６に示した調速装置を示す、図２相当の断面図である。
【図８】第２の磁石を第１の磁石の上方と下方とに分けて配置した調速装置を示す斜視図である。
【図９】第４の実施形態の調速装置を示す断面図である。
【図１０】第５の実施形態の調速装置を示す断面図である。
【図１１】４個の第２の磁石をテン輪の周方向に関して分布して配置した例を示す図３相当の平面図である。
【発明を実施するための形態】
【０００９】
以下、本発明に係る調速装置、時計及び調整方法の実施形態について、図面を用いて説明する。
【００１０】
［第１の実施形態］
＜時計＞
図１（Ａ）は、本発明に係る時計の第１の実施形態である携帯用の時計１００を示す外観図、同図（Ｂ）は（Ａ）に示した時計１００の内部に収容されたムーブメント１０の主要部を示す斜視図である。
【００１１】
図示のムーブメント１０は、内部にぜんまいを有する香箱車１１と、香箱車１１の回転を順次伝達する二番車１２、三番車１３及び四番車１４と、脱進装置を構成するがんぎ車１５及びアンクル１６と、調速装置２０とを備えている。なお、ムーブメント１０には、これらの他に、二番車１２に同軸に設けられているツツカナと、ツツカナに連結された日の裏車及び日の裏車に連結されたツツ車と、地板等とが備えられているが、図１（Ｂ）においてはこれらの記載を省略している。
二番車１２には分針９２が結合され、四番車１４にはスモールセコンド針（秒針）９３が結合され、ツツ車には時針９１が結合されている。
【００１２】
＜調速装置の構成＞
図２は、調速装置２０の詳細を示す断面図、図３は、テンプ３０を後述のテンプ受け６２の側から見た平面図である。調速装置２０は、図２に示すように、テンプ３０と、ひげぜんまい６０（図１（Ｂ）参照）と、永久磁石の一例としての第１の磁石４０と、磁性体の一例としての第２の磁石５０とを備えている。図２においては、ひげぜんまい６０の記載を省略している。
【００１３】
テンプ３０は、図３に示すように、テン真３１と、テン輪３３と、テン真３１とテン輪３３とを繋ぐ２本のスポーク３２とを備えている。テン輪３３はシリコン材で形成されている。テン真３１は、図２に示すように、金属で形成された軸３１ａと、シリコンで形成されたツバ３１ｂとを備えている。スポーク３２はテン輪３３と一体的にシリコンで形成されている。
テン輪３３、スポーク３２及びツバ３１ｂは、シリコンに代えて熱硬化性樹脂や磁性体等金属で形成されていてもよい。なお、シリコンは、耐熱性に優れているため、後述する第１の磁石４０を昇温させたときの影響が少なく、テン輪３３の材料として、熱硬化性樹脂よりも適している。
【００１４】
テンプ３０は、テン真３１の軸３１ａが、ムーブメント１０の地板６１の軸受とテンプ受け６２の軸受とに支持されていて、軸３１ａ回りに回転（振動）自在となっている。軸３１ａと、地板６１の軸受及びテンプ受け６２の軸受との間には図示を省略した隙間（アガキ）が形成されている。テンプ３０は、ひげぜんまい６０の復元力によって、例えば２７０［度］の角度範囲で正転、反転を繰り返す周期運動（振動）を行う。
テン輪３３には、重量バランスと調整するためのチラネジは設けられていない。
【００１５】
第１の磁石４０は、フェライトやアルニコ等の強磁性材料で形成されている。第１の磁石４０は、テン輪３３の、テンプ受け６２に向いた側の面３３ａ（以下、上面３３ａという。）に設けられている。第１の磁石４０は、テン輪３３の上面３３ａの全周に亘って配置されている。したがって、第１の磁石４０は、一体のリング状に形成されている。第１の磁石４０は、テン輪３３の上面３３ａに接する側の面４０ｂ（以下、下面４０ｂという。）がＳ極、テンプ受け６２に向いた側の面４０ａ（以下、上面４０ａという。）がＮ極となるように配置されている。
第１の磁石４０の厚さは、１［ｍｍ］から数［ｃｍ］の範囲で適宜選択可能である。
【００１６】
第２の磁石５０も、フェライトやアルニコ等の強磁性材料で形成されている。第２の磁石５０は、地板６１に固定されている。第２の磁石５０は、テン輪３３を挟んで第１の磁石４０に対向する範囲に配置されている。したがって、第２の磁石５０も第１の磁石４０と同様に一体のリング状に形成されている。
【００１７】
第２の磁石５０は、地板６１の上面６１ａに接する側の面５０ｂ（以下、下面５０ｂという。）がＳ極、テン輪３３に向いた側の面５０ａ（以下、上面５０ａという。）がＮ極となるように配置されている。
第２の磁石５０の厚さは、テン輪３３に接触しない１［ｍｍ］から数［ｃｍ］の範囲で適宜選択可能であるが、本実施形態の時計１００は携帯用であるため、最大で数［ｍｍ］までの範囲が実用的である。
【００１８】
＜調速装置の作用＞
第１の磁石４０と第２の磁石５０との間には、第１の磁石４０の磁極と第２の磁石５０の磁極との関係により、リングの全周に亘って互いに引かれる磁力（以下、引力という。）が作用している。
したがって、この引力が周方向で均一に調整されているときは、仮にテンプ３０のテン真３１回りの重量バランスが均一でないためにテン真３１の軸３１ａがアガキの中で動こうとしても、引力によってテン輪３３が一定の姿勢に維持されて、地板６１及びテンプ受け６２に対してテンプ３０が傾くのを抑制する。
【００１９】
また、引力は重力の影響を受けないため、時計１００自体の姿勢が重力方向に対して変化しても、テンプ３０の姿勢を引力によって一定の姿勢に維持する。
さらに、時計１００に衝撃力が入力された場合にも、引力が、入力された衝撃力を緩衝するため、テンプ３０の姿勢の変化を抑制する。
なお、第２の磁石５０は、テンプ３０が周期運動したときに、第１の磁石４０との間で、均一な磁力が及ぶ位置であれば、第１の磁石４０に厳密に対向する位置に配置されていなくてもよい。
【００２０】
＜調速装置の調整方法＞
第１の磁石４０の磁力が周方向で均一でないときは、その均一でない部分４０ｘに作用する引力が他の部分に作用する引力と異なる大きさとなる。この場合、テンプ３０が地板６１及びテンプ受け６２に対して傾いた姿勢となる。
本実施形態の調速装置２０の調整方法は、地板６１及びテンプ受け６２に対して傾いたテンプ３０に設けられた第１の磁石４０に対して局所的に熱を与えることで、第１の磁石４０の磁力の分布を調整するものである。
【００２１】
具体的には、磁力が他の部分より大きいために傾いて地板６１とテン輪３３との距離が他の部分よりも近くなっている場合は、そのテン輪３３の部分３３ｘに対応した第１の磁石４０の部分４０ｘ（局所）に、レーザ光Ｌを照射する。照射するレーザ光Ｌは、例えば、アルゴンイオンレーザを６［Ｗ］程度の電力で動作させて出力させればよい。
第１の磁石４０の部分４０ｘへのレーザ光Ｌの照射は、図２に示すように、テンプ受け６２の側から行う。磁力を変化させた後は、部分４０ｘを例えば自然冷却（放置しての冷却）によって冷やす。自然冷却に代えて、風を吹き付けての冷却等、強制的な冷却を適用することもできる。
【００２２】
レーザ光Ｌが照射された第１の磁石４０の部分４０ｘは、レーザ光Ｌの熱により熱せられてキュリー温度まで達する。第１の磁石４０の部分４０ｘは、キュリー温度に達したことで磁力が弱められる。磁力が弱められた第１の磁石４０の部分４０ｘは、第２の磁石５０との間の引力が他の部分と同じになる。この結果、テンプ３０の、地板６１及びテンプ受け６２に対する傾きが解消され、テンプ３０の姿勢が正される。
磁力の変化の程度は、キュリー温度に到達させる部分４０ｘの厚さ方向の深さや周方向の範囲の広さ、レーザ光Ｌの照射時間の長さ等によって調整することができる。また、キュリー温度に達した状態で、部分４０ｘに磁界を印加することによっても調整することができる。
【００２３】
磁力が他の部分より小さいために傾いて地板６１とテン輪３３との距離が他の部分よりも遠くなっている場合は、そのテン輪３３の部分３３ｘに対応した第１の磁石４０の部分４０ｘにレーザ光Ｌを照射し、部分４０ｘの温度をキュリー温度に到達させる。そして、キュリー温度に達した状態で、部分４０ｘに他の部分と同じになるように磁界を印加することによって、第１の磁石４０の部分４０ｘは、磁力が他の部分と同じになる。この結果、テンプ３０の、地板６１及びテンプ受け６２に対する傾きが解消され、テンプ３０の姿勢が正される。
【００２４】
このように、本実施形態の調速装置２０によると、従来のテンプのようにチラネジによる重量バランスの調整を行うことなく、テンプ３０の姿勢を正規の姿勢に安定させることができる。
また、本実施形態の調速装置２０の調整方法によれば、調速装置２０に組み付けられた状態の第１の磁石４０の部分４０ｘに対して、テンプ受け６２の側の隙間からレーザ光Ｌを照射することで、テンプ３０の姿勢の調整を行うことができる。しかも、チラネジによる従来の調整よりも、調整すべき位置の分解能が高く、より精度の高い調整を行うことができる。
【００２５】
本実施形態の調速装置２０及び調速装置２０の調整方法によれば、テンプ３０を調速装置２０から取り外す必要がなく、テンプ３０の姿勢を安定させる作業の労力を軽減することができる。
テンプ３０を調速装置２０から取り外さずに、テンプ３０の姿勢を安定させることができることにより、経年変化した時計１００に対する修理等のアフターマーケットにおいても、調速装置２０の調整を手軽に行うことが可能となる。
【００２６】
本実施形態の調速装置２０は、第１の磁石４０の上面４０ａ及び第２の磁石５０の上面５０ａをＮ極とし、第１の磁石４０の下面４０ｂ及び第２の磁石５０の下面５０ｂをＳ極とした配置で構成されているが、Ｓ極とＮ極の配置は反対であってもよい。すなわち、第１の磁石４０の上面４０ａ及び第２の磁石５０の上面５０ａをＳ極とし、第１の磁石４０の下面４０ｂ及び第２の磁石５０の下面５０ｂをＮ極とした配置で構成を採用することもできる。
【００２７】
本実施形態の調速装置２０の調整方法では、第１の磁石４０の部分４０ｘの温度をキュリー温度まで上昇させる方法として、レーザ光Ｌを照射する方法を適用したが、キュリー温度まで上昇させる方法としては、本実施形態の方法に限定されるものではなく、他の方法を適用することもできる。
ただし、レーザ光Ｌを用いた方法は、第１の磁石４０の部分４０ｘをピンポイントで昇温させることができるとともに、光路周辺の部品に熱の影響を与えないため、テンプ受け６２側の隙間を通して昇温させる場合に適当である。
【００２８】
［第２の実施形態］
図４は、斥力を利用した第２の実施形態の調速装置１２０の詳細を示す断面図である。この調速装置１２０は、図４に示すように、第１の磁石４０と第２の磁石５０とが反発する磁力（以下、斥力という。）によって、テンプ３０の姿勢を正規の姿勢に安定させるものである。
【００２９】
この調速装置１２０のうち、テンプ３０、ひげぜんまい（図示省略）及び第１の磁石４０の構成は、第１の実施形態の調速装置２０と同じであるため説明を省略する。一方、第２の磁石５０は、調速装置２０においてＮ極であった上面５０ａが地板６１の上面６１ａに接して固定され、Ｓ極であった下面５０ｂがテン輪３３に向いて配置されている。
この第１の磁石４０の磁極と第２の磁石５０の磁極との関係により、両磁石４０，５０の間には、リングの全周に亘って斥力が作用している。
【００３０】
したがって、この斥力が周方向で均一に調整されているときは、仮にテンプ３０のテン真３１回りの重量バランスが均一でないとしても、斥力によってテン輪３３が一定の姿勢に維持されて、地板６１及びテンプ受け６２に対してテンプ３０が傾くのを抑制する。
そして、この調速装置１２０に対しても、第１の実施形態の調速装置２０に対するのと同様にテンプ受け６２の側から第１の磁石４０の局所にレーザ光Ｌを照射することで、その局所の磁力の強弱を調整することができる。
【００３１】
第２の実施形態の調速装置１２０及び調速装置１２０の調整方法によれば、第１の実施形態の調速装置２０及び調速装置２０の調整方法と同様の効果を得ることができる。
【００３２】
［第３の実施形態］
図５は、引力を利用した第３の実施形態の調速装置２２０の詳細を示す断面図である。この実施形態の調速装置２２０は、図５に示すように、第１の実施形態の調速装置２０における第２の磁石５０に代えて、磁性体７０（例えば、鉄、ニッケル等）が配置されたものである。
この調速装置２２０は、第１の磁石４０と磁性体７０との間に引力が作用する。したがって、調速装置２２０は、調速装置２０と同様に、第１の磁石４０と磁性体７０との間に作用する引力によって、テンプ３０の姿勢を正規の姿勢に安定させるものである。
【００３３】
したがって、第１の磁石４０の磁力が周方向で均一に調整されているときは、仮にテンプ３０のテン真３１回りの重量バランスが均一でないとしても、引力によってテン輪３３が一定の姿勢に維持されて、地板６１及びテンプ受け６２に対してテンプ３０が傾くのを抑制する。
そして、この調速装置２２０に対しても、第１の実施形態の調速装置２０に対するのと同様にテンプ受け６２の側から第１の磁石４０の局所にレーザ光Ｌを照射することで、その局所の磁力の強弱を調整することができる。
【００３４】
第３の実施形態の調速装置２２０及び調速装置２２０の調整方法によれば、第１の実施形態の調速装置２０及び調速装置２０の調整方法と同様の効果を得ることができる。
【００３５】
上述した各実施形態の調速装置２０，１２０，２２０は、第１の磁石４０、第２の磁石５０及び第２の磁石５０に代わる磁性体７０が、いずれもテン輪３３の全周に亘って一体にリング状に形成されたものである。しかし、本発明の調速装置は、第１の磁石４０、第２の磁石５０及び磁性体７０がテン輪３３の全周に亘って形成されたものに限定されない。
【００３６】
図６は、９個の第１の磁石１４０及び９個の第２の磁石１５０をテン輪３３の周方向に関して分布して配置した調速装置３２０を示す図３相当の平面図、図７は、図６に示した調速装置３２０を示す、図２相当の断面図である。図６，７に示した調速装置３２０は、３個の第１の磁石１４０を１セットとし、３セット（合計９個）の第１の磁石１４０を、テン輪３３の周方向に１２０［度］間隔でテン輪３３に配置し、９個の第２の磁石１５０を４０［度］間隔で地板６１に配置したものである。
【００３７】
なお、第１の磁石１４０は、第１の磁石４０と同じ材料で形成されたものであり、第１の磁石４０に対して、周方向の長さが異なる以外は同じである。同様に、第２の磁石１５０は、第２の磁石５０と同じ材料で形成されたものであり、第２の磁石５０に対して、大きさが異なる以外は同じである。
【００３８】
このように構成された調速装置３２０によっても、第１の実施形態の調速装置２０と同様の作用、効果を得ることができる。また、この調速装置３２０に対しても、第１の磁石１４０の局所１４０ｘにレーザ光Ｌを照射することで、第１の実施形態の調速装置２０の調整方法と同様の作用、効果を得ることができる。
なお、第１の磁石１４０及び第２の磁石１５０は、それぞれ等角度間隔で配置されたものに限定されないが、等角度間隔に配置されたものの方が、テン輪３３の周方向に関して、引力又は斥力の均一性のバランスを確保しやすい。
第２の磁石１５０に代えて磁性体７０を、第２の磁石１５０と同様の配置とした構成を採用することもできる。
【００３９】
図８は、第２の磁石１５０を第１の磁石４０の上方と下方とに分けて配置した調速装置３３０を示す斜視図である。図８に示した調速装置３３０は、２個の第２の磁石１５０を、第１の磁石４０の下側（地板６１（図７参照）の側）に配置し、２個の第２の磁石１５０を、第１の磁石４０の上側（テンプ受け６２（図７参照）の側）に配置したものである。
【００４０】
各第２の磁石１５０は、その上面１５０ａがＮ極、下面１５０ｂがＳ極に設定されている。第１の磁石４０も上面４０ａがＮ極、下面４０ｂがＳ極に設定されている。そして、第１の磁石４０の上面４０ａと上側の第２の磁石１５０の下面１５０ｂとの間の距離Ｙと、第１の磁石４０の下面４０ｂと下側の第２の磁石１５０の上面１５０ａとの間の距離Ｙとが一致するように、第２の磁石１５０は配置されている。
さらに、上側の２個の第２の磁石１５０は、テン真３１に対して、例えば南北方向（テン真３１を時計の指針の軸心とした場合であれば、１２時、６時の方向）に並んで配置されている。また、下側の２個の第２の磁石１５０は、テン真３１に対して、例えば東西方向（テン真３１を時計の指針の軸心とした場合であれば、３時、９時の方向）に並んで配置されている。
【００４１】
このように構成された調速装置３３０は、第１の磁石４０と上側の２個の第２の磁石１５０とは、南北方向において引力が作用し、第１の磁石４０と下側の２個の第２の磁石１５０とは、東西方向において引力が作用する。これにより、テンプ３０は、東西南北の４か所で引力によりに姿勢が安定し、第１の実施形態の調速装置２０と同様の作用、効果を得ることができる。
また、この調速装置３３０に対しても、第１の磁石４０の局所１４０ｘにレーザ光Ｌを照射することで、第１の実施形態の調速装置２０の調整方法と同様の作用、効果を得ることができる。
【００４２】
なお、上側の２個の第２の磁石１５０の上面１５０ａと下面１５０ｂとを反対にして、第１の磁石４０と上側の２個の第２の磁石１５０とは、南北方向において斥力が作用するようにしてもよい。また、下側の２個の第２の磁石１５０の上面１５０ａと下面１５０ｂも反対にして、第１の磁石４０と下側の２個の第２の磁石１５０とは、東西方向において斥力が作用するようにしてもよい。
このように構成された調速装置３３０によっても、第１の実施形態の調速装置２０の調整方法と同様の作用、効果を得ることができる。
【００４３】
この調速装置３３０のように、第１の磁石４０が上側の第２の磁石１５０と下側の第２の磁石１５０とによって上下方向に引力が働く状態又は上下方向に斥力が働く状態となる。これにより、軸３１ａ（図１参照）の、地板６１の軸受およびテンプ受け６２の軸受に対する荷重が低減される。したがって、軸３１ａの摩耗の減少による高寿命化や摩擦抵抗の減少による運動エネルギ効率の向上といった効果を得ることができる。
【００４４】
［第４の実施形態］
図９は、第４の実施形態の調速装置４２０を示す断面図である。この実施形態の調速装置４２０は、図９に示すように、第１の実施形態の調速装置２０におけるテン輪３３が第１の磁石２４０で形成されたテン輪１３３であり、独立した第１の磁石４０が備えられていないものである。
【００４５】
なお、第１の磁石２４０は、第１の磁石４０と同じ材料で形成されたものであり、第１の磁石４０に対して、テン輪３３の形状に形成されている以外は同じである。テン輪１３３は、第１の磁石２４０で形成されている以外は、テン輪３３と同じである。
この調速装置４２０は、第１の磁石２４０で形成されたテン輪１３３の上面１３３ａがＮ極、下面１３３ｂがＳ極であり、第２の磁石５０の上面５０ａがＮ極、下面５０ｂがＳ極である。
【００４６】
このように構成された調速装置４２０によると、テン輪１３３と第２の磁石５０との間に引力が作用する。したがって、調速装置４２０は、調速装置２０と同様に、テン輪１３３と第２の磁石５０との間に作用する引力によって、テンプ３０の姿勢を正規の姿勢に安定させる。
また、調速装置４２０の、テンプ受け６２の側から第１の磁石２４０であるテン輪１３３の局所１３３ｘにレーザ光Ｌを照射することで、その局所の磁力の強弱を調整することができる。
したがって、調速装置４２０及び調速装置４２０の調整方法によれば、第１の実施形態の調速装置２０及び調速装置２０の調整方法と同様の効果を得ることができる。
【００４７】
上述した第４の実施形態の調速装置４２０は、テン輪１３３が第１の磁石２４０で形成された例であるが、第１の実施形態の調速装置４２０におけるシリコンで形成されたテン輪３３の外面を第１の磁石４０で覆った構成としてもよい。このように構成されたテン輪によれば、全体が第１の磁石２４０であるテン輪１３３よりも軽量化される。
【００４８】
また、第２の実施形態の調速装置１２０と同様に、第２の磁石５０の上面５０ａと下面５０ｂとが反対に配置された構成を適用し、テン輪１３３と第２の磁石５０との間に作用する斥力によって、テンプ３０の姿勢を正規の姿勢に安定させることもできる。
さらに、第３の実施形態の調速装置２２０と同様に、第２の磁石５０に代えて、磁性体７０（例えば、鉄、ニッケル等）が配置された構成を適用することもでき、この構成によっても、同様の作用、効果を得ることができる。
【００４９】
［第５の実施形態］
図１０は、第５の実施形態の調速装置５２０を示す断面図である。
この実施形態の調速装置５２０は、図１０に示すように、第１の磁石３４０がテン輪３３の外周面３３ｃの全周に亘って配置された構成である。第１の磁石３４０は、第１の磁石４０と同じ材料で形成されたものであり、第１の磁石４０に対して、形状が異なる以外は同じである。
【００５０】
また、地板６１には、テン輪３３を半径方向の外側から囲む周壁６３が形成されている。周壁６３の内周面６３ａには、第１の磁石３４０に対向して、第２の磁石３５０が配置されている。第２の磁石３５０は、第２の磁石５０と同じ材料で形成されたものであり、第２の磁石５０に対して、形状が異なる以外は同じである。
第１の磁石３４０は、テン輪３３の外周面３３ｃに接する側の面３４０ｂ（以下、内周面３４０ｂという。）がＳ極、周壁６３に向いた側の面３４０ａ（以下、外周面３４０ａという。）がＮ極となるように配置されている。
【００５１】
第２の磁石３５０は、周壁６３の内周面６３ａに接する側の面３５０ａ（以下、外周面３５０ａという。）がＮ極、テン輪３３に向いた側の面３５０ｂ（以下、内周面３５０ｂという。）がＳ極となるように配置されている。
なお、第１の磁石３４０の外周面３４０ａと第２の磁石３５０の内周面３５０ｂとの間隔は、テン輪３３の全周に亘って一定に形成されている。
【００５２】
このように構成された調速装置５２０によると、第１の磁石３４０と第２の磁石３５０との間にテン輪３３のリングの全周に亘って引力が作用する。したがって、調速装置５２０は、調速装置２０と同様に、第１の磁石３４０と第２の磁石３５０との間に作用する引力によって、テンプ３０の姿勢を正規の姿勢に安定させる。
【００５３】
また、調速装置５２０の、テンプ受け６２の側から第１の磁石３４０の局所３４０ｘにレーザ光Ｌを照射することで、その局所の磁力の強弱を調整することができる。
したがって、調速装置５２０及び調速装置５２０の調整方法によれば、第１の実施形態の調速装置２０及び調速装置２０の調整方法と同様の効果を得ることができる。
【００５４】
また、第２の実施形態の調速装置１２０と同様に、第２の磁石３５０の外周面３５０ａと内周面３５０ｂとの磁極を反対にした構成を適用し、第１の磁石３４０と第２の磁石３５０との間に作用する斥力によって、テンプ３０の姿勢を正規の姿勢に安定させることもできる。
さらに、第３の実施形態の調速装置２２０と同様に、第２の磁石３５０に代えて、磁性体７０（例えば、鉄、ニッケル等）が配置された構成を適用することもでき、この構成によっても、同様の作用、効果を得ることができる。
【００５５】
図１０に示した調速装置５２０は、第２の磁石３５０をテン輪３３の周方向に一体にリング状に配置したものであるが、周方向に関して分布して配置することもできる。図１１は、４個の第２の磁石３５０をテン輪３３の周方向に関して分布して配置した調速装置６２０を示す図３相当の平面図である。４個の第２の磁石３５０は、図１１に示すように、テン輪３３の周方向に関して９０［度］の等角度間隔で配置されている。
【００５６】
このように構成された調速装置６２０によっても、第５の実施形態の調速装置５２０と同様の作用、効果を得ることができる。また、この調速装置５２０に対しても、第１の磁石３４０の局所３４０ｘにレーザ光Ｌを照射することで、第５の実施形態の調速装置５２０の調整方法と同様の作用、効果を得ることができる。
なお、第２の磁石３５０は、それぞれ等角度間隔で配置されたものに限定されないが、等角度間隔に配置されたものの方が、テン輪３３の周方向に関して、引力又は斥力の均一性のバランスを確保しやすい。
【００５７】
上述した、第５の実施形態の調速装置５２０，６２０は、第１の磁石３４０をテン輪３３の外周面３３ｃに配置したものであるが、第１の磁石３４０を、テン輪３３の内周面３３ｄに配置した構成を適用することもできる。このように、第１の磁石３４０をテン輪３３の内周面３３ｄに配置した構成の調速装置によっても、第１の磁石３４０をテン輪３３の外周面３３ｃに配置した構成の調速装置５２０と同様の作用、効果を得ることができる。
【００５８】
上述した各実施形態の調速装置２０，１２０，２２０，３２０，３３０，５２０，６２０は、テンプ３０のうちテン輪３３に第１の磁石４０を配置した構成であるが、本発明の調速装置は、この形態に限定されず、テンプ３０の他の部分、例えばスポーク３２やテン真３１に、第１の磁石４０を配置した構成を適用することもできる。
【００５９】
上述した各実施形態のいずれかの調速装置２０，１２０，２２０，３２０，３３０，４２０，５２０，６２０を備えた実施形態の時計１００は、第２の磁石５０，１５０，３５０又は磁性体７０が、既存の地板６１に固定されている。したがって、調速装置２０，１２０，２２０，３２０，３３０，４２０，５２０，６２０に、第２の磁石５０，１５０，３５０又は磁性体７０を固定して支持するための支持部材を設ける必要がない。
【符号の説明】
【００６０】
２０      ：調速装置
３０      ：テンプ
３１      ：テン真
３３      ：テン輪
４０      ：第１の磁石（永久磁石の一例）
５０      ：第２の磁石（磁性体の一例）
６１      ：地板
６２      ：テンプ受け
１００    ：時計
Ｌ        ：レーザ光
【図１】
2016085072.tif 000003
【図２】
2016085072.tif 000004
【図３】
2016085072.tif 000005
【図４】
2016085072.tif 000006
【図５】
2016085072.tif 000007
【図６】
2016085072.tif 000008
【図７】
2016085072.tif 000009
【図８】
2016085072.tif 000010
【図９】
2016085072.tif 000011
【図１０】
2016085072.tif 000012
【図１１】
2016085072.tif 000013